(57)【要約】【課題】　脆く壊れやすい物品や、柔らかく傷つきやすい物品や、その他物品を、物流保管時に保護できる緩衝材を得る。【解決手段】　１ヵ所以上複数の接点のある細巾帯状や、細断片や、糸状や、Ｓ字状やその他の形状とした熱融着性を有する素材を材料として成形するに際し、加熱融着固化する部分と、加熱融着されない部分を併せ持つ成形緩衝材や、積層緩衝シートとした。【選択図】　　　　図１ｂ
0003100519.tif 000002
【実用新案登録請求の範囲】
【請求項１】
　熱融着性のある素材を細巾帯状や、細断片や、糸状や、Ｓ字状やその他の形状とした材料を、加熱融着成形固化或いは略加熱融着成形固化して得られた緩衝材。
【請求項２】
　熱融着性のある素材を細巾帯状や、細断片や、糸状や、Ｓ字状やその他の形状とした材料は、各々が独立した一片であったり、又、各々が規則的又は不規則に１ヶ所以上の接点を持つ部分的に繋がったシート状等の形状としたものであり、それらを単独に、或いは混練して、加熱融着成形固化或いは略加熱融着成形固化して得られた緩衝材。
【請求項３】
　熱融着性のない素材にあっても、熱融着性のある素材と混練することにより、比較的緩やかな熱融着性を持たせ、請求項１及び請求項２と同様に加熱融着成形固化、或いは略加熱融着成形固化して得られた緩衝材。
【請求項４】
　請求項１及び請求項２によって得られる材料を加熱融着成形、或いは略加熱融着成形するに際し、材料を加熱融着成形固化する部分と、加熱融着成形固化しない部分を併せ持つことを特徴とする成形緩衝材。
【請求項５】
　熱融着性のある素材を細巾帯状や、細断片や、糸状や、Ｓ字状やその他の形状とした材料を、複数の接点で部分的に繋がったシート状として、巾なりに複数枚積層し、必要部分を加熱融着、或いは加熱圧着、又は接着剤による接着等し、積層状態を安定させて一枚のシート状とした緩衝材。
【考案の詳細な説明】
【考案の詳細な説明】
【技術分野】
【０００１】　本考案は、物流保管時における物品の保護、緩衝に用いられる緩衝材に関するものである。
【背景技術】
【０００２】　従来の緩衝材としては、発泡スチロール成形品（特許公開平１０−１５９７７）や、パルプモールド成形品（特許公開平９−７８５００）や、袋入りのバラ状緩衝材等が知られている。【０００３】　また、シート状の緩衝材としては、発泡ポリエチレンシートやポリエチレン製の気泡緩衝シートや紙製のワッディングペーパー等が知られている。
【考案が解決しようとする課題】
【０００４】　従来の発泡スチロール成形品や、パルプモールド成形品は、その製造過程において、材料に均一に加熱成形されるため、得られた緩衝材の表面はどの部分も同じ硬さであり、脆く壊れやすい商品や、表面が柔らかく傷つきやすい商品、例えば精密部品や製品等、また野菜、果物等の生鮮食品等を、物流保管時において緩衝保護することが難しいという問題点があった。
【０００５】　また、従来の発泡ポリエチレンシートや気泡緩衝シートやワッディングペーは何れも平板な形状のシートである為、凹凸のある物品を包み込もうとすると、その形状になじまないという問題点があった。
【０００６】　また、袋入りのバラ状緩衝材は、まずバラ状緩衝材を製造し、その後袋に詰める為、２工程の製造となり非能率であるという問題点があった。
【０００７】　本考案は、脆く壊れやすい物品や、表面が柔らかく傷つきやすい物品であっても、また凹凸のある物品であっても良くなじみ、その物流保管時において緩衝保護できるよう、柔硬併せ持つ成形緩衝材を効率良く提供することを目的としている。
【課題を解決するための手段】
【０００８】　上記目的を達成するために、本考案における成形緩衝材は、熱融着性を有する柔軟な、薄紙や、不織布や、フィルム等の素材を用い、細巾帯状や、細断片や、糸状やＳ字状等とし、又は１ヶ所以上の接点を持つ細巾帯状や、細断片や、糸状や、Ｓ字状等の形状をした材料を用いて緩衝材とした。
【０００９】　上記材料を用いて、得るべき形状とした本緩衝材は、例えば脆く壊れやすい物品や、表面が柔らかく傷つきやすい物品が触れる収納部分等は、成形時に加熱せず材料の柔軟性を保持した構造とした。
【００１０】　又、上記物品が触れない部分の材料は加熱融着固化して、成形形状を保持する構造とした。
【００１１】　更に、ブロック状に加熱融着成形固化することにより、袋等に詰める作業をすることなく得られるものとした。
【考案を実施するための最良の形態】
【００１２】　考案の実施の形態について図面を参照して説明するが、以下の例示は単に説明のためのものであり、本考案の適用範囲などを、制限や限定するものではない。　図１ａは、熱融着性のある素材を、シュレッダー等の裁断機等により、複数の接点（ロ）のある必要巾の細巾帯状が連なったのシート状（イ）として、更に緩衝効果を得るに必要な厚み分を巻き取った材料（Ｅ）とした状態を示す略斜視図である。【００１３】　図１ｂは、図１ａにより得られた材料（Ｅ）を、物品を収納する部分（Ｂ）は断熱板材（Ｄ−１）で非加熱構造、その他の部分はメッシュ形状材（Ｄ−２）で加熱構造とした成形型（Ｄ）に供給し、加熱装置を経て成形された、加熱されない（Ｂ−１）収納部分（Ｂ）と、その他の部分である外縁部分（Ｃ）等は、成形形状を保持する為、加熱融着固化して（Ｃ−１）成形された成形緩衝材（Ａ）の斜視図である。【００１４】　図２は、図１ｂの成形緩衝材（Ａ）が、成形型（Ｄ）より取り出される状態を示す縦断面図である。【００１５】　図３は、熱融着性のある素材を、図１ａと同様の形状とした材料（Ｅ）として、メッシュ形状材で加熱構造とした成形型に供給し、加熱装置を経て加熱融着固化することにより成形された、ブロック状の成形緩衝材（Ａ−１）の略斜視図である。【００１６】　尚、物品を収納する部分も加熱融着した成形緩衝材の作成には、収納部分を含め、その成形型全体をメッシュ形状材による構造とすることにより、材料全体が加熱融着固化されることにより得られる。【００１７】　そして、加熱装置によって加熱融着された成形緩衝材を、能率よく固化する目的で加熱後、成形体を冷却風等で冷却すると、成形加工上有効である。【００１８】　図１ｂ、図３に示す緩衝材の加熱融着固化される部分（Ｃ−１）は、主としてその材料表面であり、それぞれの成形型を加熱装置により加熱融着成形固化されたものである。【００１９】　従って、図１ｂに示す加熱されない部分（Ｂ−１）と、加熱融着固化した部分（Ｃ−１）とを併せ持つ成形緩衝材（Ａ）を得ることができる。【００２０】　図４は、熱融着性のある素材を、図１ａ同様の形状（イ）材料（Ｅ）として巾なりに複数枚積層し、それらの必要部分を加熱融着、或いは加熱圧着固化するに相応しい加熱装置（Ｆ）を経て、一枚の積層緩衝シート（Ａ−２）とし、それを紙管（Ｇ）に巻き取る状態を示す略斜視図である。【００２１】　上記の通り得られた熱融着性のある積層緩衝シート（Ａ−２）は、必要量を成形型に供給すべき寸法に裁断することにより、材料（Ｅ）となり得る。【００２２】　図５は、図４により得られた積層緩衝シート（Ａ−２）を利用して、物流すべき物品（Ｈ）を外部の衝撃から護るべく、包み込んだ状態を示す縦断面斜視図である。【００２３】　このように形状を積層緩衝シート（Ａ−２）とすることにより、多用な方法での梱包作業が実施され、使用方法の対象を広げることができる。
【考案の効果】
　本考案は、上記のとおり構成されているので、次に記載する効果を奏する。
【００２４】　材料の素材を、熱融着性を有する薄紙や不織布やフィルム等とし、その形状を１ヵ所以上の複数の接点を持つ細巾帯状や細断片や、糸状や、Ｓ字状等としたので、熱風等の加熱装置で加熱融着するだけで、材料表面を加熱融着固化でき、求めるべき形状の緩衝材を得られる。
【００２５】　また、上記材料を成形するに際し、その成形型を加熱風が通り易いメッシュ形状材による部分と、加熱されないよう断熱板材で囲った部分とを併せ持つ構造としたことにより、熱融着固化される部分と、材料そのものの柔軟性を確保した成形緩衝材を得られる。
【００２６】　例えば、物品を収納する部分を断熱材で囲い、材料を加熱融着固化しない成形緩衝材とすることにより、材料の柔軟性が保持され、脆く壊れやすい物品や表面が柔らかく傷つきやすい生鮮食品などの物品を収納できる成形緩衝材となる。
【００２７】　そして、材料素材を熱融着性は有するが、加熱しても再発泡率が少ない素材を材料とすれば、発泡スチロール等を成形するに使用する高価な金型を必要とせず、材料を保持するに必要な程度の、主たる型材として金網等のメッシュ形状材で良く、安価に成形型を用意できる。
【００２８】　更に、熱融着性のある素材を、細巾帯状や糸状や細断片とした材料として、ブロック状に略加熱融着成形された成形緩衝材は、その使用時においてブロック状のままにも、ほぐしてバラ状緩衝材としても、状況に応じて使用できるものとなる。
【００２９】　また、熱融着性のある素材を、複数箇所の接点を持つ細巾帯状等の形状としたシートとし、複数枚重ね合わせて、必要部分を加熱融圧着する事により積層状態を安定保持した一枚の連続した緩衝シートとして得ることが出来る。
【図面の簡単な説明】
【００３０】
【図１ａ】熱融着性のある素材を、複数の接点のある細巾帯状のシート状材料として、巻き取った状態を示す略斜視図である。
【図１ｂ】物品を収納する部分は加熱融着せず、その他の外縁部は加熱融着固化した成形緩衝材の斜視図である。
【図２】図１ｂ様の成形緩衝材として、成形型より取り出されている状態を示す縦断面図である。
【図３】材料表面を加熱融着固化してブロック状の緩衝材とした斜視図である。
【図４】熱融着性のある素材を、複数の接点のある細巾帯状のシートとした材料を複数枚、巾なりに積層し、加熱圧着装置で必要部分を熱融着又は熱融圧着、固化し、一枚の積層緩衝シートとして、ロール状に巻き取る状態を示す略斜視図である。
【図５】図４により得られた緩衝シートを、緩衝保護すべき物品を衝撃等から保護するため、物品を包み込んだ状態を示す略断面斜視図である。
【符号の説明】
　　　　　イ　　　熱融着性素材から成る、複数の接点のある細巾帯状シート　　　　　ロ　　　接点　　　　　Ａ　　　加熱部分と非加熱部分を併せ持つ収納部のある成形緩衝材　　　　　Ａ−１　加熱融着されたブロック状の成形緩衝材　　　　　Ａ−２　熱融着性のある積層緩衝シート　　　　　Ｂ　　　加熱融着されない物品収納部分　　　　　Ｂ−１　加熱融着されない収納部の表面部分　　　　　Ｃ　　　成形緩衝材の外縁部分　　　　　Ｃ−１　加熱融着固化された部分　　　　　Ｄ　　　加熱部分と非加熱部分のある成形緩衝材作成用の成形型　　　　　Ｄ−１　断熱板材　　　　　Ｄ−２　メッシュ形状材　　　　　Ｅ　　　巻き取った材料　　　　　Ｅ−１　複数の接点のある細巾帯状シート　　　　　Ｆ　　　加熱装置　　　　　Ｇ　　　紙管　　　　　Ｈ　　　物品
【図１ａ】
0003100519.tif 000003
【図１ｂ】
0003100519.tif 000004
【図２】
0003100519.tif 000005
【図３】
0003100519.tif 000006
【図４】
0003100519.tif 000007
【図５】
0003100519.tif 000008
【手続補正書】
【提出日】平成15年10月8日(2003.10.8)
【手続補正１】
【補正対象書類名】実用新案登録請求の範囲
【補正対象項目名】全文
【補正方法】変更
【補正の内容】
【実用新案登録請求の範囲】
【請求項１】
　熱融着性のある素材を細巾帯状や、細断片や、糸状や、Ｓ字状やその他の形状とした材料を、加熱融着成形固化或いは略加熱融着成形固化してブロック状、又は物品収納部を有する任意な形状とした成形緩衝材。
【請求項２】
　熱融着性のある素材を細巾帯状や、細断片や、糸状や、Ｓ字状やその他の形状とした材料は、各々が独立した一片であったり、又各々が規則的に、又は不規則に１ヶ所以上の接点を持つ、部分的に繋がったシート状等の形状としたものであり、それらを単独に、或いは混練して、加熱融着成形固化或いは略加熱融着固化してブロック状、又は物品収納部を有する任意な形状とした成形緩衝材。
【請求項３】
　熱融着性のない素材にあっても、熱融着性のある素材と混練することにより、比較的緩やかな熱融着性を持たせた材料として、請求項１及び請求項２と同様に加熱融着成形固化、或いは略加熱融着成形固化してブロック状、又は物品収納部を有する任意な形状とした成形緩衝材。
【請求項４】
　請求項１、及び請求項２、又請求項３によって得られる材料を加熱融着成形、或いは賂加熱融着成形するに際し、材料を加熱融着成形固化する部分と、加熱融着成形固化しない部分を併せ持つことを特徴とするブロック状、又は物品収納部を有する任意な形状とした成形緩衝材。
【請求項５】
　熱融着性のある素材を細巾帯状や、細断片や、糸状や、Ｓ字状やその他の形状とした材料を、複数の接点で部分的に繋がったシート状として、巾なりに複数枚積層し、必要部分を加熱融着、或いは加熱圧着、又は接着剤による接着等し、積層状態を安定させて一枚のシート状とした緩衝材。